(57)【要約】  繰り返し使用が可能であるとともに様々な容器に装着可能な塗布物質の塗布具を提供する。被塗布面と接触する塗布面11と手指と接触する支持面13とが表裏一体に成形されている塗布具10であって、塗布物質を収容する塗布物質容器20の開口部21と一致する装着口14と、前記塗布面11に開口する吐出口12と、前記装着口14から前記塗布面11と前記支持面13との間を貫通して前記吐出口12へ塗布物質を誘導する流路15とを有する。
2008004383.tif 000002
【特許請求の範囲】
【請求項１】
被塗布面と接触する塗布面と手指と接触する支持面とを有する塗布具であって、
塗布物質を収容する塗布物質容器の開口部と一致する装着口と、
前記塗布面を含む前記支持面以外の箇所に開口する吐出口と、
前記装着口から前記塗布面と前記支持面との間を貫通して前記吐出口へ塗布物質を誘導する流路とを有することを特徴とする塗布具。
【請求項２】
前記塗布面及び前記支持面のうち少なくとも一方は平面として形成されていることを特徴とする請求の範囲第１項記載の塗布具。
【請求項３】
前記支持面は手指の腹面を収納可能な曲面に形成されていることを特徴とする請求の範囲第１項記載の塗布具。
【請求項４】
前記塗布面は被塗布面に向かって凸な曲面に形成されていることを特徴とする請求の範囲第１項記載の塗布具。
【請求項５】
前記支持面の背面側は開放していることを特徴とする請求の範囲第２項、第３項又は第４項記載の塗布具。
【請求項６】
前記支持面には接触する手指の背面の少なくとも一部を被覆する被覆部が形成されていることを特徴とする請求の範囲第２項、第３項又は第４項記載の塗布具。
【請求項７】
前記支持面の外周の少なくとも一部には壁部が設けられていることを特徴とする請求の範囲第１項記載の塗布具。
【請求項８】
前記吐出口は、前記塗布面を含む前記支持面以外の箇所の先端近傍に開口することを特徴とする請求の範囲第１項記載の塗布具。
【請求項９】
前記吐出口は、弁状に形成されていることを特徴とする請求の範囲第１項記載の塗布具。
【請求項１０】
前記吐出口は、使用時に際して剥離可能なシール部材で被覆されていることを特徴とする請求の範囲第１項記載の塗布具。
【請求項１１】
前記吐出口には、球体が嵌挿されていることを特徴とする請求の範囲第１項記載の塗布具。
【請求項１２】
前記吐出口は、網状部材で被覆されていることを特徴とする請求の範囲第１項記載の塗布具。
【請求項１３】
前記塗布面と前記支持面とが表裏一体に成形されていることを特徴とする請求の範囲第１項記載の塗布具。
【請求項１４】
塗布物質を収容するとともに開口部を有する貯蔵部と、
被塗布面と接触する塗布面と手指と接触する支持面とを有する塗布具とを備えた塗布物質容器であって、
前記塗布具は、
前記開口部と一致する装着口と、
前記塗布面に開口する吐出口と、
前記装着口から前記塗布面と前記支持面との間を貫通して前記吐出口へ塗布物質を誘導する流路とを有することを特徴とする塗布物質容器。
【請求項１５】
前記開口部と、同開口部と一致する前記装着口とは互いに密着嵌合する形状に形成されていることを特徴とする請求の範囲第１４項記載の塗布物質容器。
【請求項１６】
前記塗布面と前記支持面とが表裏一体に成形されていることを特徴とする請求の範囲第１４項記載の塗布物質容器。
【請求項１７】
塗布物質を収容する貯蔵部と、
前記貯蔵部の先端側に設けられ、被塗布面と接触する塗布面と手指と接触する支持面とを有する塗布具とが一体に形成されている塗布物質容器であって、
前記塗布面を含む前記支持面以外の箇所に開口する吐出口と、
前記貯蔵部から前記塗布面と前記支持面との間を貫通して前記吐出口へ塗布物質を誘導する流路とを有することを特徴とする塗布物質容器。
【請求項１８】
前記塗布面と前記支持面とが表裏一体に成形されていることを特徴とする請求の範囲第１７項記載の塗布物質容器。
【発明の詳細な説明】
【技術分野】
【０００１】
本発明は、塗布物質を皮膚等に塗布する際に指先にあてがわれる塗布具及びそのような塗布具を備えた塗布物質の収容容器に関する。
【背景技術】
【０００２】
従来、皮膚あるいは接着面等の適用対象面に塗布されることを目的とする液状、ペースト状、粉状等の塗布物質は、化粧品、軟膏、クリーム、接着剤等、多岐に亘る。これらのうちには、指先に適量を取って適用対象面に塗り広げることが必要なものが多い。これらのうちには、たとえば、樹脂製ラミネートチューブや金属製チューブに塗布物質が収容され、それを絞り出し口から適量を絞り出し、これを指先で取って皮膚等に塗布するような化粧品や薬剤がある。
このような塗布物質を指先で塗布するときには、塗布後に指先に付着ないし残存した物質を拭い去ったり洗浄したりする必要がある。これを避けるために、指サックを装着してその上から塗布することも試みられている。そのような試みの一つとして、下記の特許文献１記載の技術がある。該技術では、二層構造の指カバーにおいて、その二層の間に液状ないし液状物品を封入しているとともに、最外層にはプルキャップが設けられている。そして、指先に該指カバーを装着し、使用時にこのプルキャップを引き剥がすと小孔が形成され、そこから封入された液状ないし液状物品が絞り出されて塗布可能となる。【０００３】
また、下記の特許文献２では、手指に装着可能な板状の塗布面に化粧料を仮着させ、それを触圧塗布する方法が開示されている。
【特許文献１】特開平７−２８４５０８号公報
【特許文献２】実公昭５４−４１８０６号公報
【発明の開示】
【０００４】
上述の従来技術では、確かに指先に塗布物質が直接付着することはないが、指カバーに封入ないし塗布面に仮着された塗布物質を使い切れば再利用はできないので結局使い捨てになる。また、使用できる塗布物質についても指カバーの中に封入されたものあるいは塗布面に仮着されたものに限られるので汎用性に欠ける。
そこで本発明は、繰り返し使用が可能であるとともに様々な容器に装着可能な塗布物質の塗布具を提供することを課題とする。
【０００５】
上記課題に鑑み、本発明は、被塗布面と接触する塗布面と手指と接触する支持面とがを有する塗布具であって、塗布物質を収容する塗布物質容器の開口部と一致する装着口と、前記塗布面を含む前記支持面以外の箇所に開口する吐出口と、前記装着口から前記塗布面と前記支持面との間を貫通して前記吐出口へ塗布物質を誘導する流路とを有することを特徴とする。
すなわち、本発明に係る塗布具は、化粧品等の塗布物質の容器の絞り出し口等の開口部に装着され、そのまま塗布が可能となるものである。ここでいう「塗布物質」とは、皮膚あるいは接着面等の適用対象面である「被塗布面」に塗布されることを目的とする液状物、ペースト、ジェル、クリーム等の高粘稠性液体あるいは粉体の総称であり、その内容は化粧品、軟膏、クリーム、接着剤等、多岐に亘る。
【０００６】
塗布具の材質としては、通常に化粧品容器に使用される材料であれば何でも使用できる。たとえば、シリコーン樹脂、エラストマー、ゴム等の弾性材料を使用して、射出成形やコンプレッション成形で形成することができる。ここで、弾性材料を使用することにより、装着口の形状を通常入手される容器開口部より小さめに形成しても、これを圧入することが可能となり、汎用性が得られることとなる。なお、塗布物質の性状や、あるいは塗布の目的によっては、金属や硬質プラスチックも塗布具の材質として採用することができる。
また、装着口の形状は、容器開口部の形状に合わせて形成することも可能である。たとえば、容器開口部が雄ねじとして形成されている場合には、これと嵌合し得る雌ねじ形状とすることもできる。また、金型成形の際に、装着口にアンダーカットとなるような部位を形成するようにしておけば、容器開口部をこのアンダーカット部分の弾性変形により押し入れるようにして確実に装着することを期待できる。
【０００７】
塗布具の形状は、支持面が平面になるように形成してもよいが、指先の形状に合わせて、支持面が手指の腹面を収納可能な曲面に形成されていることが望ましい。さらに、塗布面は平面であってもよいが、被塗布面に向かって凸な曲面に形成されていることとすれば、スムーズに塗布することが可能となる。また、支持面若しくは塗布面がこのような曲面に形成されているとき、又は支持面が平面になるように形成されているときのいずれであっても、支持面の背面側は開放していることとしてもよいが、接触する手指の背面の少なくとも一部を被覆する被覆部が形成されていれば、この被覆部により手指がより確実に塗布具に保定されることとなる。また、このような被覆部を設けなくとも、支持面の外周の少なくとも一部には壁部が設けられていることとすれば、この壁部により手指が塗布具に対して安定することとなる。
【０００８】
なお、塗布面と支持面とは表裏一体になるように形成してもよいし、また、支持面の裏側が直接塗布面にならないような構造（たとえば、支持面の裏側の面と連続する面を塗布面とするような場合）としてもよい。
本発明は、以下のように作用する。
すなわち、本発明に係る塗布具を容器の開口部に装着した状態で、容器の開口部から押し出される塗布物質は、塗布面の装着口から前記塗布面と前記支持面との間を貫通する流路を通って、塗布面の吐出口から押し出される。ちなみに、この吐出口は、塗布具の形状次第では、塗布面そのものでなく、被塗布面とは直接接触しないが、支持面ではない箇所に開口することとしてもよい。たとえば、塗布面と連続する面の先端部分が反り返っている形状となり、その部分は塗布の際には直接被塗布面には触れないような場合、その先端近傍の部分に吐出口を設けることもできる。そして、容器を手掌内に納めつつ、塗布面から見て裏面に当たる支持面に指先をあてがい、吐出口から押し出された塗布物質を被塗布面に塗り広げることが可能となっている。
【０００９】
吐出口の形状としては、通常は円形ないし楕円形が想定されるが、それ以外にも様々なものが可能である。たとえば、吐出口を、四角形、三角形や星形等の異形に形成することができる。さらに、吐出口を、たとえばＶ字形の切れ込みとして弁状に形成すると、塗布物質を押し出す際にはこの弁状部分が内側から押圧され開放するが、非使用時には閉じているようにすることが可能である。こうすることで、特に塗布物質の粘性が高い場合には、非使用時にみだりに塗布物質がしみ出すようなことを防止することができる。そして、上記した吐出口は、単独で設けることも、又は複数個設けることも可能である。また、１の塗布具に複数種類の吐出口を設けることも可能である。
【００１０】
また、吐出口を、使用時に際して剥離可能なシール部材で被覆しておいて、使用の際にこれを剥離するよう形成することもできる。こうすることで、使用開始前に吐出口を経て空気が侵入したり、またそれに起因して塗布物質が乾燥等の変質を被ることを防止することができる。
さらに、吐出口に、球体を嵌挿することも可能である。こうすることで、塗布物質を球体の回転でスムーズに塗布することが可能となる。ここで、塗布具を前記の弾性物質で形成する場合には、吐出口の口径より大きな直径の球体を圧入して嵌挿することは容易である。
【００１１】
また、吐出口を網状部材で被覆することも可能である。こうすることで、たとえば粉体のような塗布物質をこの網状部材で保持しつつ被塗布面に塗布することが容易となる。さらに塗布物質が液状の場合であっても、網状部材の網目註に液体を保持することで、やはり塗布の便に資することができる。
また、本発明に係る塗布具は、塗布物質容器と一体に形成することもできる。すなわち、塗布物質を収容するとともに開口部を有する貯蔵部と、被塗布面と接触する塗布面と手指と接触する支持面とを有する塗布具とを備えた塗布物質容器であって、前記塗布具は、前記開口部と一致する装着口と、前記塗布面に開口する吐出口と、前記装着口から前記塗布面と前記支持面との間を貫通して前記吐出口へ塗布物質を誘導する流路とを有することを特徴とする。ここで、塗布具と塗布物質容器とは、最初から一体に成形することとしてもよいし、また、別々に成形されたものを接着して一体とすることとしてもよい。さらに、開口部と、この開口部と一致する前記装着口とは互いに密着嵌合する形状に形成されていることとすれば、開口部と装着口との密閉性が向上することとなる。なお、塗布面と支持面とは表裏一体になるように形成してもよいし、また、支持面の裏側が直接塗布面にならないような構造（たとえば、支持面の裏側の面と連続する面を塗布面とするような場合）としてもよい。
【００１２】
また、本件発明は、塗布物質を収容する貯蔵部と、前記貯蔵部の先端側に設けられ、被塗布面と接触する塗布面と手指と接触する支持面とを有する塗布具とが一体に形成されているとともに、前記塗布面を含む前記支持面以外の箇所に開口する吐出口と、前記貯蔵部から前記塗布面と前記支持面との間を貫通して前記吐出口へ塗布物質を誘導する流路とを有することを特徴とする塗布物質容器としてもよい。なお、塗布面と支持面とは表裏一体になるように形成してもよいし、また、支持面の裏側が直接塗布面にならないような構造（たとえば、支持面の裏側の面と連続する面を塗布面とするような場合）としてもよい。
【００１３】
本発明により、繰り返し使用が可能であるとともに様々な容器に装着可能な塗布物質の塗布具を提供することが可能となる。
【図面の簡単な説明】
【００１４】
【図１】本発明の第１の実施の形態に係る塗布具の背面下方斜視図である。
【図２】本発明の第１の実施の形態に係る塗布具の正面上方斜視図である。
【図３】本発明の第１の実施の形態に係る塗布具の背面上方斜視図である。
【図４】本発明の第１の実施の形態に係る塗布具の側面断面図である。
【図５】本発明の第２の実施の形態に係る塗布具の（Ａ）側面断面図及び（Ｂ）Ａ−Ａ断面図である。
【図６】本発明の第３の実施の形態に係る塗布具の（Ａ）側面断面図及び（Ｂ）Ｂ−Ｂ断面図である。
【図７】本発明の第４の実施の形態に係る塗布具の背面下方斜視図である。
【図８】本発明の第４の実施の形態に係る塗布具の正面上方斜視図である。
【図９】本発明の第４の実施の形態に係る塗布具の背面上方斜視図である。
【図１０】本発明の第４の実施の形態に係る塗布具の側面断面図である。
【図１１】本発明の第５の実施の形態に係る塗布具の（Ａ）側面断面図及び（Ｂ）Ｃ−Ｃ断面図である。
【図１２】本発明の第６の実施の形態に係る塗布具の（Ａ）側面断面図及び（Ｂ）Ｄ−Ｄ断面図である。
【図１３】本発明の第７の実施の形態に係る塗布物質容器の（Ａ）正面上方斜視図及び（Ｂ）下面斜視図である。
【図１４】本発明の第７の実施の形態に係る塗布物質容器に装着される塗布具の（Ａ）正面上方一部断面斜視図及び（Ｂ）組み付け斜視図である。
【図１５】本発明の第８の実施の形態に係る塗布物質容器の（Ａ）正面上方斜視図及び（Ｂ）下面斜視図である。
【図１６】本発明の第９の実施の形態に係る塗布具の背面上方斜視図である。
【図１７】本発明の第１０の実施の形態に係る塗布具の背面上方斜視図である。
【図１８】本発明の第１１の実施の形態に係る塗布具の下方斜視図である。
【図１９】本発明の第１２の実施の形態に係る塗布具の下方斜視図である。
【図２０】本発明の第１３の実施の形態に係る塗布具の下方斜視図である。
【図２１】本発明の第１４の実施の形態に係る塗布具の下方斜視図である。
【図２２】本発明の第１５の実施の形態に係る塗布具の背面上方斜視図である。
【図２３】本発明の第１１の実施の形態に係る塗布具の下方斜視図である。
【図２４】本発明の第１１の実施の形態に係る塗布具の側面断面図である。
【発明を実施するための最良の形態】
【００１５】
以下、本発明の実施の形態を、図面を参照しつつ説明する。
（１）第１の実施の形態
本発明の第１の実施の形態に係る塗布具10を、図１から図４までを参照しつつ説明する。なお、図１は塗布具10の背面右下方斜視図、図２は正面右上方斜視図、図３は背面右上方斜視図、及び図４は側面断面図を示す。
本実施の形態に係る塗布具10は、図１に示すように下面側が凸曲面の塗布面11となり、図２に示すように上面側が開放した凹曲面の支持面13となっている。すなわち、塗布面11と支持面13とは表裏一体となっている。また、塗布具10の後端側は図３に示すように中心に孔が設けられた短円筒状に形成されている。この中心の孔が装着口14となっている。装着口14には雌ねじが刻まれている。これにより、塗布物質の容器（特に、チューブ状のもの）の、雄ねじ状に形成されている絞り出し口がここに圧入され固定されるようになっている。【００１６】
また、図１に示すように、塗布面11のほぼ中央には小孔が設けられている。この小孔が吐出口12である。図４に示すように、この吐出口12は、装着口14と流路15を介して連結している。
本実施の形態に係る塗布具10は、シリコーン樹脂の射出成形により形成することができる。
本実施の形態に係る塗布具10は、図示しない塗布物質の容器の絞り出し口を装着口14に圧入して装着してから使用する。そして、容器の側面を押圧すると内容物である塗布物質が絞り出し口から押し出され、さらに装着口14から流路15を介して吐出口12から絞り出される。適量が絞り出されたところで、容器を手掌内に保持しつつ、指先（通常は、人差し指）を支持面13にあてがい、被塗布面に塗り広げることが可能となる。このとき、支持面13の凹曲面に指先の腹側がフィットするので、塗布がスムーズに行われることとなる。【００１７】
（２）第２の実施の形態
本発明の第２の実施の形態に係る塗布具10を、図５を参照しつつ説明する。なお、図５（Ａ）は塗布具10の側面断面図、及び図５（Ｂ）は図５（Ａ）におけるＡ−Ａ断面図を示す。
本実施の形態に係る塗布具10は、下面側が平面状の塗布面11となり、上面側も平面状の支持面13となっている。すなわち、塗布面11と支持面13とは表裏一体となっている。また、塗布面11の周縁部はエッジを有する構造となっている。また、塗布具10の後端側は中心に孔が設けられた短円筒状に形成されている。この中心の孔が装着口14となっている。装着口14には雌ねじが刻まれている。これにより、塗布物質の容器（特に、チューブ状のもの）の、雄ねじ状に形成されている絞り出し口がここに圧入され固定されるようになっている。【００１８】
また、塗布面11のほぼ中央には小孔が設けられている。この小孔が吐出口12である。この吐出口12は、装着口14と流路15を介して連結している。
本実施の形態に係る塗布具10は、シリコーン樹脂の射出成形により形成することができる。
本実施の形態に係る塗布具10は、図示しない塗布物質の容器の絞り出し口を装着口14に圧入して装着してから使用する。そして、容器の側面を押圧すると内容物である塗布物質が絞り出し口から押し出され、さらに装着口14から流路15を介して吐出口12から絞り出される。適量が絞り出されたところで、容器を手掌内に保持しつつ、指先（通常は、人差し指）を支持面13にあてがい、被塗布面に塗り広げることが可能となる。さらに余剰の塗布物質を塗布面11の周縁部のエッジで掻き取って除去することができる。【００１９】
（３）第３の実施の形態
本発明の第３の実施の形態に係る塗布具10を、図６を参照しつつ説明する。なお、図６（Ａ）は塗布具10の側面断面図、及び図６（Ｂ）は図６（Ａ）におけるＢ−Ｂ断面図を示す。
本実施の形態に係る塗布具10は、下面側が平面状の塗布面11となり、上面側も平面状の支持面13となっている。すなわち、塗布面11と支持面13とは表裏一体となっている。また、支持面13の周囲を枠状に取り囲む壁部17も形成されている。また、塗布面11の周縁部はエッジを有する構造となっている。さらに、塗布具10の後端側は中心に孔が設けられた短円筒状に形成されている。この中心の孔が装着口14となっている。装着口14には雌ねじが刻まれている。これにより、塗布物質の容器（特に、チューブ状のもの）の、雄ねじ状に形成されている絞り出し口がここに圧入され固定されるようになっている。【００２０】
また、塗布面11のほぼ中央には小孔が設けられている。この小孔が吐出口12である。この吐出口12は、装着口14と流路15を介して連結している。
本実施の形態に係る塗布具10は、シリコーン樹脂の射出成形により形成することができる。
本実施の形態に係る塗布具10は、図示しない塗布物質の容器の絞り出し口を装着口14に圧入して装着してから使用する。そして、容器の側面を押圧すると内容物である塗布物質が絞り出し口から押し出され、さらに装着口14から流路15を介して吐出口12から絞り出される。適量が絞り出されたところで、容器を手掌内に保持しつつ、指先（通常は、人差し指）を支持面13にあてがい、被塗布面に塗り広げることが可能となる。このとき、壁部17により指先の周囲が保定されることになり、安定性が増すこととなる。さらに余剰の塗布物質を塗布面11の周縁部のエッジで掻き取って除去することができる。【００２１】
（４）第４の実施の形態
本発明の第４の実施の形態に係る塗布具10を、図７から図１０までを参照しつつ説明する。なお、図７は塗布具10の背面右下方斜視図、図８は正面右上方斜視図、図９は背面右上方斜視図、及び図１０は側面断面図を示す。
本実施の形態に係る塗布具10は、図７に示すように下面側が凸曲面の塗布面11となり、図８に示すように上面側が一部開放した凹曲面の支持面13となっている。すなわち、塗布面11と支持面13とは表裏一体となっている。また、塗布具10の後端側は図９に示すように中心に孔が設けられた短円筒状に形成されている。この中心の孔が装着口14となっている。装着口14には雌ねじが刻まれている。これにより、塗布物質の容器（特に、チューブ状のもの）の、雄ねじ状に形成されている絞り出し口がここに圧入され固定されるようになっている。さらに、本実施の形態では、図８に示すように支持面13の先端側が上面部分をスリッパ状に被覆する被覆部16として形成されている。【００２２】
本実施の形態に係る塗布具10は、シリコーン樹脂の射出成形により形成することができる。
また、図７に示すように、塗布面11のほぼ中央には小孔が設けられている。この小孔が吐出口12である。図１０に示すように、この吐出口12は、装着口14と流路15を介して連結している。
本実施の形態に係る塗布具10は、図示しない塗布物質の容器の絞り出し口を装着口14に圧入して装着してから使用する。そして、容器の側面を押圧すると内容物である塗布物質が絞り出し口から押し出され、さらに装着口14から流路15を介して吐出口12から絞り出される。適量が絞り出されたところで、容器を手掌内に保持しつつ、指先（通常は、人差し指）を支持面13にあてがい、被塗布面に塗り広げることが可能となる。このとき、支持面13にあてがった指先は被覆部16でその背面を覆われる。これにより、指先の安定性が増すこととなる。【００２３】
（５）第５の実施の形態
本発明の第５の実施の形態に係る塗布具10を、図１１を参照しつつ説明する。なお、図１１（Ａ）は塗布具10の側面断面図、及び図１１（Ｂ）は図１１（Ａ）におけるＣ−Ｃ断面図を示す。
本実施の形態に係る塗布具10は、下面側が平面状の塗布面11となり、上面側も平面状の支持面13となっている。また、塗布面11の周縁部はエッジを有する構造となっている。すなわち、塗布面11と支持面13とは表裏一体となっており、塗布面11の周縁部は角張った断面になっている。また、塗布具10の後端側は中心に孔が設けられた短円筒状に形成されている。この中心の孔が装着口14となっている。装着口14には雌ねじが刻まれている。これにより、塗布物質の容器（特に、チューブ状のもの）の、雄ねじ状に形成されている絞り出し口がここに圧入され固定されるようになっている。さらに、本実施の形態では、支持面13の背面側にアーチ状の被覆部16が２本形成されている。【００２４】
また、塗布面11のほぼ中央には小孔が設けられている。この小孔が吐出口12である。この吐出口12は、装着口14と流路15を介して連結している。
本実施の形態に係る塗布具10は、シリコーン樹脂の射出成形により形成することができる。
本実施の形態に係る塗布具10は、図示しない塗布物質の容器の絞り出し口を装着口14に圧入して装着してから使用する。そして、容器の側面を押圧すると内容物である塗布物質が絞り出し口から押し出され、さらに装着口14から流路15を介して吐出口12から絞り出される。適量が絞り出されたところで、容器を手掌内に保持しつつ、指先（通常は、人差し指）を支持面13にあてがい、被塗布面に塗り広げることが可能となる。このとき、支持面13にあてがった指先の背面に被覆部16が接触する。これにより、指先の安定性が増すこととなる。さらに余剰の塗布物質を塗布面11の周縁部のエッジで掻き取って除去することができる。【００２５】
（６）第６の実施の形態
本発明の第６の実施の形態に係る塗布具10を、図１２を参照しつつ説明する。なお、図１２（Ａ）は塗布具10の側面断面図、及び図１２（Ｂ）は図１２（Ａ）におけるＤ−Ｄ断面図を示す。
本実施の形態に係る塗布具10は、下面側が平面状の塗布面11となり、上面側も平面状の支持面13となっている。すなわち、塗布面11と支持面13とは表裏一体となっている。また、塗布具10の後端側は中心に孔が設けられた短円筒状に形成されている。この中心の孔が装着口14となっている。装着口14には雌ねじが刻まれている。これにより、塗布物質の容器（特に、チューブ状のもの）の、雄ねじ状に形成されている絞り出し口がここに圧入され固定されるようになっている。さらに、本実施の形態では、支持面13の背面側に最上部が欠けたアーチ状の被覆部16が２対形成されている。【００２６】
また、塗布面11のほぼ中央には小孔が設けられている。この小孔が吐出口12である。この吐出口12は、装着口14と流路15を介して連結している。
本実施の形態に係る塗布具10は、シリコーン樹脂の射出成形により形成することができる。
本実施の形態に係る塗布具10は、図示しない塗布物質の容器の絞り出し口を装着口14に圧入して装着してから使用する。そして、容器の側面を押圧すると内容物である塗布物質が絞り出し口から押し出され、さらに装着口14から流路15を介して吐出口12から絞り出される。適量が絞り出されたところで、容器を手掌内に保持しつつ、指先（通常は、人差し指）を支持面13にあてがい、被塗布面に塗り広げることが可能となる。このとき、支持面13にあてがった指先の背面に被覆部16が接触する。これにより、指先の安定性が増すこととなる。【００２７】
（７）第７の実施の形態
本発明は、図１３に示す第７の実施の形態のように、塗布具10を塗布物質容器20と一体に形成することができる。この実施の形態においても、塗布具10の上面側は凹曲面の支持面13となり（図１３（Ａ）参照）、また下面側は吐出口12を備えた凸曲面の塗布面11となっている（図１３（Ｂ）参照）。塗布具10は、図１４（Ａ）の断面図に示すように、後端面に装着口14が設けられており、ここへ塗布物質が進入してくることとなっている。さらに装着口14と吐出口12とは流路15で連結されている。この塗布具10は、図１４（Ｂ）に示すように、塗布物質容器20の先端部分の開口部21に装着口14を一致させるようにして接着される。【００２８】
塗布物質容器20の貯蔵部22の側面を押圧すると内容物である塗布物質が押し出され、さらに装着口14から流路15を介して吐出口12から絞り出される。適量が絞り出されたところで、塗布物質容器20を手掌内に保持しつつ、指先（通常は、人差し指）を支持面13にあてがい、被塗布面に塗り広げることが可能となる。
（８）第８の実施の形態
本発明は、図１５に示す第８の実施の形態のように、塗布具10を平板状に形成することも可能である。すなわち、塗布具10の上面側は僅かに窪んだ支持面13（図１５（Ａ）参照）として形成され、下面側は僅かに突出した塗布面11（図１５（Ｂ）参照）として形成される。また、塗布物質容器20の先端部分からは、塗布具10の下面側と一体化したノズル状に流路15が突出し、その先端は塗布面11に向かって開口した吐出口12となっている。【００２９】
塗布物質容器20の貯蔵部22の側面を押圧すると内容物である塗布物質が押し出され、さらに装着口14から流路15を介して吐出口12から絞り出される。適量が絞り出されたところで、塗布物質容器20を手掌内に保持しつつ、指先（通常は、人差し指）を支持面13にあてがい、被塗布面に塗り広げることが可能となる。
（９）第９の実施の形態
図１６に示す本発明の第９の実施の形態に係る塗布具10は、前記第２の実施の形態に係る塗布具10（図５参照）において、支持面13に多数の小突起30を設けたものである。この小突起30が、塗布時に際して手指の滑り止めとなっており、塗布がしやすくなっている。【００３０】
（１０）第１０の実施の形態
図１７に示す本発明の第１０の実施の形態に係る塗布具10は、前記第２の実施の形態に係る塗布具10（図５参照）において、支持面13に多数の、長手方向に走る小突条31を設けたものである。この小突条31が、塗布時に際して手指の滑り止めとなっており、塗布がしやすくなっている。
（１１）第１１の実施の形態
図１８に示す本発明の第１１の実施の形態に係る塗布具10は、前記第２の実施の形態に係る塗布具10（図５参照）において、吐出口12が塗布面11より先端側に位置する先端面18開口しているものである。すなわち、支持面13で手指が位置する箇所よりも先端寄りに位置し、塗布時には被塗布面とは接触しない先端面18に吐出口12が位置している。この構造により、たとえば、吐出口12から絞り出された塗布物質を被塗布面に付着させた後、塗布面11で改めて塗り広げることが可能となっている。【００３１】
（１２）第１２の実施の形態
図１９に示す本発明の第１２の実施の形態に係る塗布具10は、前記第２の実施の形態に係る塗布具10（図５参照）において、吐出口12が弁状に形成されているものである。すなわち、吐出口12がＶ字形の切れ込みとして形成されている。この構造により、塗布物質を押し出す際にはこの弁状部分が内側から押圧され開放するが、被使用時には閉じているようにすることが可能となっている。
（１３）第１３の実施の形態
図２０に示す本発明の第１３の実施の形態に係る塗布具10は、前記第２の実施の形態に係る塗布具10（図５参照）において、吐出口12が使用時に際して剥離可能なシール部材32で被覆されているものである。すなわち、使用前には吐出口12はこのシール部材32により被覆され塞がっているので、使用開始前に吐出口12を経て空気が侵入したり、またそれに起因して塗布物質が乾燥等の変質を被ることを防止することができる。そして、使用に際しては、このシール部材32を剥離すれば、前記第２の実施の形態と同様に使用することが可能となっている。【００３２】
（１４）第１４の実施の形態
図２１に示す本発明の第１４の実施の形態に係る塗布具10は、前記第２の実施の形態に係る塗布具10（図５参照）において、吐出口12及びその周辺が網状部材33で被覆されている。こうすることで、たとえば粉体のような塗布物質をこの網状部材で保持しつつ被塗布面に塗布することが容易となる。さらに塗布物質が液状の場合であっても、網状部材の網目註に液体を保持することで、やはり塗布がしやすくなっている。
（１５）第１５の実施の形態
図２２に示す本発明の第１５の実施の形態に係る塗布具10は、前記第２の実施の形態に係る塗布具10（図５参照）において、支持面13に粘着テープ34を貼付したものである。この粘着テープ34により、塗布時に際して手指が支持面13に付着して固定され、塗布がしやすくなっている。【００３３】
（１６）第１６の実施の形態
図２３及び図２４に示す本発明の第１６の実施の形態に係る塗布具10は、前記第２の実施の形態に係る塗布具10（図５参照）において、吐出口12に球体35が嵌挿されているものである。すなわち、図２４の断面図で示すように、この球体35の直径は吐出口12の直径より大きいため、吐出口12より脱落せずに保持されている。たとえば、塗布具10をシリコーン樹脂のような弾性に富む材質で形成した場合には、吐出口12から球体35を弾性変形により挿入することは容易である。塗布物質は、図示しない貯蔵部22を押圧するなどすれば、この球体35と吐出口12との間の隙間から滲み出るように絞り出されることとなる。そして、絞り出された塗布物質はこの球体35を被塗布面で転がすようにすれば容易かつ快適に塗り広げられる。
【産業上の利用可能性】
【００３４】
本発明は、ラミネートチューブ、金属チューブ等の絞り出し容器に収容される、化粧品、軟膏、クリーム、ジェル、接着剤、絵の具等の塗布物質を塗布するために使用される塗布具として可能である。また、そのような塗布具を備えた容器としても使用可能である。
【図１】
2008004383.tif 000003
【図２】
2008004383.tif 000004
【図３】
2008004383.tif 000005
【図４】
2008004383.tif 000006
【図５】
2008004383.tif 000007
【図６】
2008004383.tif 000008
【図７】
2008004383.tif 000009
【図８】
2008004383.tif 000010
【図９】
2008004383.tif 000011
【図１０】
2008004383.tif 000012
【図１１】
2008004383.tif 000013
【図１２】
2008004383.tif 000014
【図１３】
2008004383.tif 000015
【図１４】
2008004383.tif 000016
【図１５】
2008004383.tif 000017
【図１６】
2008004383.tif 000018
【図１７】
2008004383.tif 000019
【図１８】
2008004383.tif 000020
【図１９】
2008004383.tif 000021
【図２０】
2008004383.tif 000022
【図２１】
2008004383.tif 000023
【図２２】
2008004383.tif 000024
【図２３】
2008004383.tif 000025
【図２４】
2008004383.tif 000026
【手続補正書】
【提出日】平成20年6月5日(2008.6.5)
【手続補正１】
【補正対象書類名】特許請求の範囲
【補正対象項目名】全文
【補正方法】変更
【補正の内容】
【特許請求の範囲】
【請求項１】
被塗布面と接触する塗布面と手指と接触する支持面とを有する塗布具であって、
塗布物質を収容する塗布物質容器の開口部と一致する装着口と、
前記塗布面を含む前記支持面以外の箇所に開口する吐出口と、
前記装着口から前記塗布面と前記支持面との間を貫通して前記吐出口へ塗布物質を誘導する流路とを有し、
前記支持面は手指の腹面を収納可能な曲面に形成されていることを特徴とする塗布具。
【請求項２】
前記支持面には接触する手指の背面の少なくとも一部を被覆する被覆部が形成されていることを特徴とする請求項１記載の塗布具。
【請求項３】
被塗布面と接触する塗布面と手指と接触する支持面とを有する塗布具であって、
塗布物質を収容する塗布物質容器の開口部と一致する装着口と、
前記塗布面を含む前記支持面以外の箇所に開口する吐出口と、
前記装着口から前記塗布面と前記支持面との間を貫通して前記吐出口へ塗布物質を誘導する流路とを有し、
前記支持面の外周の少なくとも一部には壁部が設けられていることを特徴とする塗布具。
【請求項４】
塗布物質を収容するとともに開口部を有する貯蔵部と、
被塗布面と接触する塗布面と手指と接触する支持面とを有する塗布具とを備えた塗布物質容器であって、
前記塗布具は、
前記開口部と一致する装着口と、
前記塗布面に開口する吐出口と、
前記装着口から前記塗布面と前記支持面との間を貫通して前記吐出口へ塗布物質を誘導する流路とを有し、
前記支持面は手指の腹面を収納可能な曲面に形成されていることを特徴とする塗布物質容器。
【請求項５】
前記開口部と、同開口部と一致する前記装着口とは互いに密着嵌合する形状に形成されていることを特徴とする請求項４記載の塗布物質容器。
【請求項６】
前記塗布面と前記支持面とが表裏一体に成形されていることを特徴とする請求項４記載の塗布物質容器。
【請求項７】
前記支持面には接触する手指の背面の少なくとも一部を被覆する被覆部が形成されていることを特徴とする請求項４記載の塗布物質容器。
【請求項８】
塗布物質を収容するとともに開口部を有する貯蔵部と、
被塗布面と接触する塗布面と手指と接触する支持面とを有する塗布具とを備えた塗布物質容器であって、
前記塗布具は、
前記開口部と一致する装着口と、
前記塗布面に開口する吐出口と、
前記装着口から前記塗布面と前記支持面との間を貫通して前記吐出口へ塗布物質を誘導する流路とを有し、
前記支持面の外周の少なくとも一部には壁部が設けられていることを特徴とする塗布物質容器。
【請求項９】
塗布物質を収容する貯蔵部と、
前記貯蔵部の先端側に設けられ、被塗布面と接触する塗布面と手指と接触する支持面とを有する塗布具とが一体に形成されている塗布物質容器であって、
前記塗布面を含む前記支持面以外の箇所に開口する吐出口と、
前記貯蔵部から前記塗布面と前記支持面との間を貫通して前記吐出口へ塗布物質を誘導する流路とを有し、
前記支持面は手指の腹面を収納可能な曲面に形成されていることを特徴とする塗布物質容器。
【請求項１０】
前記塗布面と前記支持面とが表裏一体に成形されていることを特徴とする請求項９記載の塗布物質容器。
【請求項１１】
前記支持面には接触する手指の背面の少なくとも一部を被覆する被覆部が形成されていることを特徴とする請求項９記載の塗布物質容器。
【請求項１２】
塗布物質を収容する貯蔵部と、
前記貯蔵部の先端側に設けられ、被塗布面と接触する塗布面と手指と接触する支持面とを有する塗布具とが一体に形成されている塗布物質容器であって、
前記塗布面を含む前記支持面以外の箇所に開口する吐出口と、
前記貯蔵部から前記塗布面と前記支持面との間を貫通して前記吐出口へ塗布物質を誘導する流路とを有し、
前記支持面の外周の少なくとも一部には壁部が設けられていることを特徴とする塗布物質容器。
【国際調査報告】
2008004383.tif 000027
2008004383.tif 000028
2008004383.tif 000029
2008004383.tif 000030